(57)【要約】【課題】容易に補助レンズを着脱可能な多機能眼鏡を提供する。【解決手段】一対のリム１１、１１にレンズ２、２が取り付けられた眼鏡本体３に左右独立した補助レンズ５を個別に取付可能な多機能眼鏡Ｍであって、リム１１、１１のレンズ２、２前方に補助レンズ５を挿入可能な開口２５を有し、補助レンズ５を保持する保持部２１が形成されている。【選択図】図３
2019045642.tif 000002
【特許請求の範囲】
【請求項１】
一対のリムにレンズが取り付けられた眼鏡本体に左右独立した補助レンズを個別に取付可能な多機能眼鏡であって、
前記リムのレンズ前方に、前記補助レンズを挿入可能な開口を有し、前記補助レンズを保持する保持部が形成されていることを特徴とする多機能眼鏡。
【請求項２】
前記保持部は、前記補助レンズを案内するとともに嵌合する嵌合溝を有し、前記開口から前記補助レンズが前記嵌合溝に挿入され嵌合されることを特徴とする請求項１に記載の多機能眼鏡。
【請求項３】
前記補助レンズが保持部から脱落することを防止する脱落防止機構を備えていることを特徴とする請求項１又は請求項２に記載の多機能眼鏡。
【請求項４】
前記脱落防止機構は、前記嵌合溝に設けられる突起と、前記補助レンズに設けられ前記突起と係合可能な凹部と、を備えていることを特徴とする請求項１〜３のいずれか一項に記載の多機能眼鏡。
【請求項５】
前記保持部は、補助レンズの形状に沿って湾曲状に形成され、
前記脱落防止機構は、前記保持部の端部の弾性力により前記補助レンズが挟持されて前記保持部に保持されることを特徴とする請求項１〜３のいずれか一項に記載の多機能眼鏡。
【請求項６】
前記保持部は、上側に開口を有し、前記補助レンズの上縁の一部と下縁を覆うようにしてその形状に沿って形成され、
前記補助レンズは、斜め上方から前記保持部の開口に挿入された後、回転されることによって前記保持部内に嵌合されることを特徴とする請求項１、又は２に記載の多機能眼鏡。
【発明の詳細な説明】
【技術分野】
【０００１】
本発明は、視力矯正用の眼鏡にサングラス等の機能を備えた多機能眼鏡に関する。
【背景技術】
【０００２】
スキーや釣り等のアウトドアスポーツを楽しむ際には、強い日差しから目を保護するためのサングラスが欠かせない。
【０００３】
しかし、視力矯正用の眼鏡を常用している人にとっては、自分の視力に合った度のレンズを用いる必要があって、その場合にはオーダーメードが主流となり、経費がかさむとともに、その都度掛け替えなければならないという不便さが生じる。
【０００４】
したがって、視力矯正用の眼鏡にサングラスの機能を有する補助レンズを容易に着脱可能であれば便利であるが、このような視力矯正用の眼鏡に補助レンズを装着可能な機構は従来から存在する（特許文献１参照）。一例として、特許文献１に示す眼鏡は、視力矯正用のレンズを備えた眼鏡において、レンズの前方に補助レンズを装着可能になっている。
【先行技術文献】
【特許文献】
【０００５】
【特許文献１】特許第３８４５８４２号公報
【発明の概要】
【発明が解決しようとする課題】
【０００６】
上述した特許文献１に示す眼鏡は、視力矯正用のレンズの前面にピンによって補助レンズを脱着することができるものの、補助レンズにピンを挿入可能な孔を形成する必要があるとともに、補助レンズの装着に際し、ピンの着脱操作が必要なため、細かい操作が必要となり、不便である。
【０００７】
そこで、本発明は上記問題を課題の一例として為されたもので、容易に補助レンズを着脱可能な多機能眼鏡を提供することを目的としたものである。
【課題を解決するための手段】
【０００８】
上記課題を解決するため、本発明は次のような構成を採用する。なお、本発明の理解を容易にするため図面の参照符号を括弧書きで付するが、本発明はこれに限定されるものではない。
【０００９】
すなわち、請求項１に記載の多機能眼鏡（Ｍ）は、一対のリム（１１）にレンズ（２）が取り付けられた眼鏡本体（３）に左右独立した補助レンズ（５）を個別に取付可能な多機能眼鏡であって、前記リムのレンズ前方に前記補助レンズを挿入可能な開口（２５）を有し、前記補助レンズを保持する保持部（２１）が形成されていることを特徴とする。
【００１０】
また、請求項２に記載の多機能眼鏡は、請求項１に記載の多機能眼鏡において、前記保持部は、前記補助レンズを案内するとともに嵌合する嵌合溝（２３）を有し、前記開口から前記補助レンズが前記嵌合溝に挿入され嵌合されることを特徴とする。
【００１１】
また、請求項３に記載の多機能眼鏡は、請求項１又は請求項２に記載の多機能眼鏡において、前記補助レンズが保持部から脱落することを防止する脱落防止機構（５０）を備えていることを特徴とする。
【００１２】
また、請求項４に記載の多機能眼鏡は、請求項１〜３のいずれか一項に記載の多機能眼鏡において、前記脱落防止機構は、前記嵌合溝に設けられる突起（５１）と、前記補助レンズに設けられ前記突起と係合可能な凹部（５２）と、を備えていることを特徴とする。
【００１３】
また、請求項５に記載の多機能眼鏡は、請求項１〜３のいずれか一項に記載の多機能眼鏡において、前記保持部は、補助レンズの形状に沿って湾曲状に形成され、前記脱落防止機構は、前記保持部の端部の弾性力により前記補助レンズが挟持されて前記保持部に保持されることを特徴とする。
【００１４】
また、請求項６に記載の多機能眼鏡は、請求項１、又は２に記載の多機能眼鏡において、前記保持部は、上側に開口を有し、前記補助レンズの上縁の一部と下縁を覆うようにしてその形状に沿って形成され、前記補助レンズは、斜め上方から前記保持部の開口に挿入された後、回転されることによって前記保持部内に嵌合されることを特徴とする。
【発明の効果】
【００１５】
必要に応じて視力矯正用レンズの前方に補助レンズを容易に配置できる。また、補助レンズは、保持部の両端部によって挟持されるとともに、ブリッジ側に押圧されるため、保持部内に確実に保持され、脱落しにくくなっている。
【図面の簡単な説明】
【００１６】
【図１】第１実施例における多機能眼鏡の外観を示す模式図である。
【図２】図１のＡ−Ａ断面図である。
【図３】第１実施例における多機能眼鏡の保持部の一例を示す正面図である。
【図４】第２実施例における多機能眼鏡の外観を示す模式図である。
【図５】第３実施例における多機能眼鏡の保持部の一例を示す正面図である。
【図６】第４実施例における多機能眼鏡の外観を示す模式図である。
【図７】第４実施例における多機能眼鏡の保持部の一例を示す正面図である。
【発明を実施するための形態】
【００１７】
以下、図面を参照して本発明の実施形態を示す実施例について説明する。
【００１８】
（第１実施例）
本実施例の眼鏡は、図１に示すように、遠視又は近視等の視力矯正用のレンズ２を有する眼鏡に偏光や遮光といった機能を有する補助レンズ５を着脱可能な眼鏡Ｍであり、視力矯正用の眼鏡とサングラス双方の機能を有する多機能眼鏡（以下、眼鏡Ｍと称する）である。
【００１９】
なお、レンズ２は、例えば、通常の使用状態において変形しない程度の硬さを有する透明の視力矯正用のレンズであり、補助レンズ５は、例えば、通常の使用状態において変形しない程度の硬さを有するレンズに色が着いたレンズであり、偏光レンズや遮光レンズを含む。
【００２０】
眼鏡Ｍは、視力矯正用のレンズ２が取り付けられる前枠３（本願の眼鏡本体）と、前枠３の両側に取り付けられるテンプル１５と、を備えている。前枠３やテンプル１５は、例えば、弾性を有する合成樹脂素材を射出成形して形成する。
【００２１】
前枠３は、レンズ２が取り付けられる略環状に形成された左右一対のリム１１、１１と、一対のリム１１、１１を左右対称に一体的に連結するブリッジ１２と、を備えている。テンプル１５は、例えば、各リム１１、１１の外側に丁番１４を介して折畳可能にヒンジ連結されている。また、ブリッジ１２には、使用者の鼻に接触させ、フィット感やズレを防止するためのノーズパット１６が設けられている。なお、ノーズパット１６は、必要に応じて設けられるものであって、必須の構成ではない。
【００２２】
リム１１の内側には、図２に示すように、レンズ嵌合溝１１ａが形成され、レンズ２が嵌合されてリム１１に取り付けられている。また、このリム１１には、図３に示すように、レンズ２の前方に補助レンズ５を保持する保持部２１が設けられており、保持部２１は、レンズ２の前方において前後幅が拡大して形成されている。また、保持部２１は、補助レンズ５をスライドさせて挿入可能な開口部２５を有し、その内側には、補助レンズ５を案内するとともに嵌合するための補助レンズ嵌合溝２３が形成されている。
【００２３】
保持部２１は、リム１１（補助レンズ５）のブリッジ側の外周縁に沿った湾曲状に形成され、開口部２５はその両端部によって形成される。具体的には、図３に示すように、補助レンズ５のリム１１のブリッジ（内）側からリム１１の上下略中央部まで延びる略Ｃ字状に形成され、開口部２５はリム１１の智部側に設けられる。
【００２４】
そして、補助レンズ５は、図３の矢印に示すように、開口部２５から水平方向にスライドさせて補助レンズ嵌合溝２３に沿って案内されて保持部２１内に挿入され、各レンズ２の前方に重なるようにして取付可能となっている。
【００２５】
また、本実施形態の多機能眼鏡Ｍは、スポーツ等の激しい運動によって、補助レンズ５が補助レンズ嵌合溝２３（保持部２１）から脱落することを防止する脱落防止機構５０を備えている。この脱落防止機構５０は、例えば、補助レンズ嵌合溝２３内に設けられた突起５１と、補助レンズ５に形成され、この突起５１と係合可能な凹部５２と、を備え、凹部５２に突起５１が嵌り込むことで補助レンズ５が補助レンズ嵌合溝２３内に固定される。
【００２６】
このように本実施例の多機能眼鏡Ｍは、保持部２１に補助レンズ５を容易に挿入可能となっており、脱落防止機構５０によって補助レンズ５が保持部２１内に確実に保持される。したがって、補助レンズ５を必要に応じて簡単にレンズ２の前方に配置可能であるとともに、補助レンズ５が保持部２１から脱落しにくくなっている。
【００２７】
また、本実施例の多機能眼鏡Ｍに設けられている脱落防止機構５０は、突起５１と凹部５２とを備えて構成されているが、単に、補助レンズ５のスライド方向に対して抵抗を与えるような突起を開口部２５側の補助レンズ嵌合溝２３の端部に設けてもよい。この突起は、リム１１の弾性力により補助レンズ５をスライドさせ乗り越えられる程度の高さを有する。また、特には、補助レンズ５の鉛直方向において最大長さを有する縦側最大膨出部Ｔ２（図４）を超えた位置に突起を配置すると良い。このように突起を配置することで凹部５２を設けなくても補助レンズ５を保持部２１に保持させることが可能である。
【００２８】
（第２実施例）
次に、第２実施例の多機能眼鏡Ｍ３について図４を用いて説明する。なお、図４において、図１と共通する部分には同一符号を付し、それらの詳細な説明は省略する。
【００２９】
本実施例は、保持部２１の形状及び脱落防止機構５０の態様が異なる点で上記実施例と相違する。具体的に、本実施例の保持部２１Ｂは、図４に示すように、斜め上方から補助レンズ５を挿入可能な開口部２５を有し、補助レンズ５のブリッジ側の一部上縁と下縁すべてを覆うようにして補助レンズ５の形状に沿って形成される。
【００３０】
そして、補助レンズ５は、開口部２５から斜め下方向にスライドさせて保持部２１Ｂ内に挿入した後、所定の方向に回転することによって、保持部２１Ｂ内に嵌合されて保持される。
【００３１】
また、保持部２１Ｂを補助レンズ５の周縁よりも少し小さく形成することで弾性力によってより強固に補助レンズ５を保持部２１Ｂ内に保持することができる。
【００３２】
したがって、スポーツ等の激しい運動による保持部２１Ｂからの補助レンズ５の脱落を容易に防止できる。
【００３３】
なお、補助レンズの形状は様々であるが、補助レンズ５は、一般的に、図４及び図５に示すように、鉛直方向において最大長さを有する縦側最大膨出部Ｔ１、Ｔ２と、水平方向において最大長さを有する横側最大膨出部Ｙ１、Ｙ２を有しており、本実施形態の説明において、上縁とは、左右の横側最大膨出部Ｙ１、Ｙ２を繋ぐ補助レンズ５の上側の縁をいい、下縁とは、左右の横側最大膨出部Ｙ１、Ｙ２を繋ぐ補助レンズ５の下側の縁をいうものである。
【００３４】
（第３実施例）
次に、第３実施例の多機能眼鏡Ｍ４について図５を用いて説明する。なお、図５において、図１と共通する部分には同一符号を付し、それらの詳細な説明は省略する。
【００３５】
本実施例は、脱落防止機構５０の態様が異なる点で上記実施例と相違する。具体的に、本実施例の脱落防止機構５０は、保持部２１Ｃの端部の弾性力を利用するものである。
【００３６】
具体的には、保持部２１Ｃを補助レンズ５の形状に沿って形成するとともに、保持部２１Ｃの上側及び下側の両端部５５、５６は、リム１１の内側からが補助レンズ５の縦側最大膨出部Ｔ１、Ｔ２を超えてリム１１の智（外）側に延びるように設定される。
【００３７】
また、保持部２１Ｃの上下両端部５５、５６によって形成される開口部２５の開口径Ｓは、補助レンズ２３の縦側最大膨出部Ｔ１、Ｔ２を繋ぐ鉛直方向の長さＳ１よりも短く形成されている。
【００３８】
したがって、本実施例の多機能眼鏡Ｍ４において補助レンズ５を装着する際には、開口部２５からリム１１の弾性変形を利用して補助レンズ嵌合溝２３に沿って補助レンズ５の先端が保持部２１Ｃのブリッジ側端部まで案内され、補助レンズ５が保持部２１Ｃ内に挿入される。
【００３９】
また、補助レンズ装着時において、補助レンズ５は、保持部２１Ｃの上下両端部５５、５６によってリム１１のブリッジ（内）側に向かってリム１１の弾性力による押圧力が作用し、補助レンズ５が内側に押圧されつつ挟持されて保持される。補助レンズ５の内側は保持部２１Ｃのブリッジ側端部に接触することによって位置決めされるため、補助レンズ５はこの保持部２１Ｃにおいて不用意にずれることなく保持される。
【００４０】
このように本実施例の多機能眼鏡Ｍ４は、保持部２１Ｃの上下両端部５５、５６の弾性力によって補助レンズ５の外側が挟持されるようにして保持され、さらに、補助レンズ５をブリッジ側に押圧する力が働くので、補助レンズ５が保持部２１Ｃ内に確実に保持され、保持部２１Ｃから脱落しにくくなっている。
【００４１】
また、補助レンズ５は、保持部２１Ｃに容易に挿入可能となっているため、補助レンズ５を必要に応じてレンズ２の前方に簡単に配置することができる。
【００４２】
また、保持部２１の両端部は、補助レンズの縦側最大膨出部Ｔ１、Ｔ２を超えて設けられているとともに、開口部２５の開口径Ｓは、補助レンズ５の縦側最大膨出部Ｈの鉛直方向の長さＳ１よりも短く形成されているため、補助レンズ５を補助レンズ嵌合溝２３内に挿入する際には、開口部２５で若干の抵抗力を受けるものの、装着後は、保持部２１Ｃの両端部によって補助レンズ５がブリッジ側に押圧されつつ弾性保持される。したがって、運動等をしても不用意に補助レンズ５が保持部２１Ｃから脱落することが容易に防止できる。
【００４３】
（第４実施例）
次に、第４実施例の多機能眼鏡Ｍ２について図６及び図７を用いて説明する。なお、図６及び図７において、図１と共通する部分には同一符号を付し、それらの詳細な説明は省略する。
【００４４】
本実施例は、保持部２１の形状が異なる点で上記実施例と相違する。具体的に、本実施例の保持部２１Ａは、図６に示すように、上方に開口部２５を有し、略Ｕ字状に形成される。
【００４５】
したがって、補助レンズ５は、開口部２５から鉛直方向にスライドさせて補助レンズ嵌合溝２３に沿って案内されて保持部２１Ａ内に挿入され、各レンズ２の前方に重なるようにして取付可能となっている。
【００４６】
また、保持部２１Ａの左右両端部５７、５８は、図７に示すように、リム１１の下側からこの横側最大膨出部Ｙ１、Ｙ２を超えるように設定される。
【００４７】
また、保持部２１Ａの左右両端部５７、５８は、補助レンズ２３の形状に沿って形成され、保持部２１Ａの左右両端部５７、５８によって形成される開口部２５の開口径Ｓ２は、補助レンズ２３の横側最大膨出部Ｙ１、Ｙ２を繋ぐ水平方向の長さＳ３よりも短く形成されている。
【００４８】
したがって、補助レンズ５を装着する際には、開口部２５からリム１１の弾性変形を利用して補助レンズ嵌合溝２３に沿って補助レンズ５の先端が保持部２１Ａの下端まで案内され、補助レンズ５が保持部２１Ａ内に挿入される。
【００４９】
また、補助レンズ装着時において、補助レンズ５は、保持部２１Ａの左右両端部５７、５８の弾性力によってリム１１の下方に向かって押圧力が作用し、保持部２１Ａにおいて補助レンズ５が内側に押圧されつつ挟持されて保持される。補助レンズ５の下側は保持部２１Ａの下端部に接触することによって位置決めされるため、補助レンズ５はこの保持部２１Ａにおいて不用意にずれることなく保持される。
【００５０】
このように本実施例の多機能眼鏡Ｍ２は、保持部２１Ａの左右両端部５７、５８によって挟持され、さらに、補助レンズ５を下方に押圧する力が働くので、補助レンズ５が保持部２１Ａ内に確実に保持され、保持部２１Ａから脱落しにくくなっている。
【００５１】
また、補助レンズ５は、保持部２１Ａに容易に挿入可能となっているため、補助レンズ５を必要に応じてレンズ２の前方に簡単に配置することができる。
【００５２】
また、保持部２１Ａの両端部は、補助レンズ５の横側最大膨出部Ｙ１、Ｙ２を超えて設けられているとともに、開口部２５の開口径Ｓ２は、補助レンズ５の横側最大膨出部Ｙ１、Ｙ２の水平方向の長さＳ３よりも短く形成されているため、補助レンズ５を補助レンズ嵌合溝２３内に挿入する際には、開口部２５で若干の抵抗力を受けるものの、装着後は、保持部２１Ａの両端部によって補助レンズ５が下側に押圧されつつ弾性保持される。したがって、運動等をしても不用意に補助レンズ５が保持部２１Ａから脱落することが容易に防止できる。
【００５３】
なお、本実施形態は一形態であって、上述した実施例に限定されるものではなく、例えば、眼鏡の形状などは適宜変更可能であり、本実施例では、前枠をリムとブリッジとを一体的に形成したが、リムの部分を着脱可能とする構成としても構わない。また、眼鏡Ｍを構成する部材の材質は、合成樹脂製に限定されるものではない。さらに、第１〜第４の各実施例は一例であって、各実施例を適宜組み合わせて多機能眼鏡を形成しても構わない。
【符号の説明】
【００５４】
Ｍ、Ｍ２、Ｍ３、Ｍ４…多機能眼鏡
２…レンズ
５…補助レンズ
２１…保持部
２５…開口部
【図１】
2019045642.tif 000003
【図２】
2019045642.tif 000004
【図３】
2019045642.tif 000005
【図４】
2019045642.tif 000006
【図５】
2019045642.tif 000007
【図６】
2019045642.tif 000008
【図７】
2019045642.tif 000009